【事件の表示】
　特許第２９６２４２５号「カラー撮像装置」の請求項１に係る特許に対する特許異議の申立てについて、次のとおり決定する。
【結　論】
　訂正を認める。
　特許第２９６２４２５号の請求項１に係る特許を維持する。
【理　由】
　１　手続の経緯
　本件に係る特許第２９６２４２５号の特許請求の範囲（請求項の数１）に記載された発明は、平成２年１０月２９日に出願され、平成１１年８月６日にその特許の設定登録がなされ、その後、特許異議の申立がなされ、取消理由通知がなされ、その指定期間内である平成１２年８月２５日に訂正請求がなされたものである。
　
　２　訂正の適否について
　(1)訂正明細書に係る発明
　訂正明細書に係る発明（以下「本件訂正発明」という。）は、その特許請求の範囲（請求項の数１）に記載された次に掲げるとおりのものである。
　【本件訂正発明】
　所定の光透過特性を有するカラーフィルタを介して被写体を撮像し、複数の色成分を示すアナログ画像信号を出力する撮像手段と、
　前記アナログ画像信号をディジタル画像信号に変換する変換手段と、
　カラーフィルタの光透過特性に応じた係数を画素毎に記憶する記憶手段と、
　前記記憶手段に記憶されている係数を用いて前記ディジタル画像信号を演算して前記アナログ画像信号の色成分とは異なる色成分を示すディジタル画像信号を求める色分離手段とを具備し、
　前記係数は、色成分光を前記撮像手段に入射させたときに、前記色分離手段で求められるディジタル画像信号が前記色成分を示す信号となるように決められたものであることを特徴とするカラー撮像装置
　(2)訂正の要旨の適否
　上記訂正は、「カラーフィルタの光透過特性に応じた係数を記憶する記憶手段」を「カラーフィルタの光透過特性に応じた係数を画素毎に記憶する記憶手段」と限定するものである。
　(3)訂正の適否についての結論
　上記訂正請求は、特許法第１２０条の４第３項で準用する同法第１２６条第２項ないし第３項の規定に適合するので、上記訂正が認められる。
　３　刊行物発明と本件訂正発明との対比・検討
　当審の取消理由で引用した刊行物である特開平２−１４２２９３号公報（異議申立人が提出した甲第１号証）には、次に掲げる発明（以下「刊行物発明」という。）が記載されている。
　【刊行物（甲第１号証）発明】
　所定の光透過特性を有するカラーフィルタを介して被写体を撮像し、複数の色成分を示すアナログ画像信号を出力する撮像手段と、
　前記アナログ画像信号をディジタル画像信号に変換する変換手段と、
　カラーフィルタの光透過特性に応じた係数を記憶する記憶手段と、
　前記記憶手段に記憶されている係数を用いて前記ディジタル画像信号を演算して前記アナログ画像信号の色成分とは異なる色成分を示すディジタル画像信号を求める色分離手段とを具備し、
　前記係数は、色成分光を前記撮像手段に入射させたときに、前記色分離手段で求められるディジタル画像信号が前記色成分を示す信号となるように決められたものであることを特徴とするカラー撮像装置
　【対比・検討】
　本件訂正発明と刊行物（甲第１号証）発明とを対比すると、刊行物（甲第１号証）発明は、本件訂正発明おける次に掲げる主要事項を具備していないし、刊行物（甲第１号証）には、この主要事項を示唆する記載もなされていない。
　【本件訂正発明おける主要事項】
　カラーフィルタの光透過特性に応じた係数を画素毎に記憶する記憶手段
　上記主要事項により、本件訂正発明は、本件明細書に記載された「各画素毎の色再現性のばらつきのない」という目的を達成し、「画素毎の色再現性のばらつきをなくすことができ」さらに「係数を各画素毎に決めておくことにより、各画素毎のカラーフィルタの特性のばらつきも補償することができる」という効果を奏するものである。
　したがって、本件訂正発明は、刊行物（甲第１号証）発明に基いて容易に発明をすることができたものとは認められない。
　
　４　特許異議の申立の理由の概要
　特許異議申立人は、本件訂正前の発明は、甲第１号証（取消理由で引用した刊行物）に記載された発明と同一ないしはその発明に基いて容易に発明をすることができたものであるから、本件訂正前の発明に係る特許は、特許法第２９条第１項、第２項の規定に違反してなされたもので、この特許は取り消すべきものである旨主張している。
　また、本件明細書には「補正係数をどのように選択しているのか」についての構成が全く明らかにされていなく、「画素毎」の色再現性のばらつきをなくすことを明記しているにもかかわらず、本件訂正前の請求項には、このことが記載されていないから、本件明細書は、特許法第３６条第４項又は第５項に規定する要件を満たしていない。
　そこで、上記甲第１号証（刊行物）を検討すると、上記３で対比・検討したとおり、本件訂正発明は、甲第１号証（刊行物）発明に基いて容易に発明をすることができたものとは認められない。
　また、本件訂正発明は、「画素毎」の色再現性のばらつきをなくすために上記本件訂正発明おける主要事項を具備するものとなり、この主要事項により「補正係数の選択」が画素毎に行われるといえるから、本件訂正明細書によって、特許異議申立人が主張するような記載不備は解消された。
　
　５　むすび
　以上のとおり、本件訂正発明は、刊行物（甲第１証）発明に基いて当業者が容易に発明をすることができたものとは認められない。
　また、他に本件訂正発明に係る特許を取り消すべき理由を発見しない。
　よって、結論のとおり決定する。
【異議決定日】
平成１２年１０月１２日（２０００．１０．１２）
【訂正の要旨】
訂正の要旨
　特許請求の範囲に係る記載「カラーフィルタの光透過特性に応じた係数を記憶する記憶手段」を特許請求の範囲の減縮を目的として、「カラーフィルタの光透過特性に応じた係数を
画素毎に
　これに伴い、特許請求の範囲の記載と発明の詳細な説明の記載との整合を図るため、以下の箇所について訂正を認める。
　明細書第３頁第１１行乃至同頁第１９行記載の「本発明による…を特徴とする。」を「本発明によるカラー撮像装置は、所定の光透過特性を有するカラーフィルタを介して被写体を撮像し、複数の色成分を示すアナログ画像信号を出力する撮像手段と、前記アナログ画像信号をディジタル画像信号に変換する変換手段と、カラーフィルタの光透過特性に応じた係数を
画素毎に
（５４）【発明の名称】
カラー撮像装置
（５７）【特許請求の範囲】
（１）所定の光透過特性を有するカラーフィルタを介して被写体を撮像し、複数の色成分を示すアナログ画像信号を出力する撮像手段と、
前記アナログ画像信号をディジタル画像信号に変換する変換手段と、
カラーフィルタの光透過特性に応じた係数を
画素毎に
前記記憶手段に記憶されている係数を用いて前記ディジタル画像信号を演算して前記アナログ画像信号の色成分とは異なる色成分を示すディジタル画像信号を求める色分離手段とを具備し、
前記係数は、色成分光を前記撮像手段に入射させたときに、前記色分離手段で求められるディジタル画像信号が前記色成分を示す信号となるように決められたものであることを特徴とするカラー撮像装置。
【発明の詳細な説明】
［発明の目的］
（産業上の利用分野）
　本発明は、各画素毎に所定の色成分光を通過させるカラーフィルタを介して被写体を撮像するカラー撮像装置に関する。
（従来の技術）
　近年、電荷結合素子（ＣＣＤ）等の固体撮像素子を用いた単板式のカラーカメラが開発されている。このようなカメラでは、ＣＣＤの撮像素子の前面に各画素毎に所定の色成分フィルタ要素がモザイク状に配列されてなるカラーフィルタが設けられ、各画素毎に所定の色成分、例えば黄（Ｙ）、シアン（Ｃ）、マゼンタ（Ｍ）、緑（Ｇ）の光学像のみがＣＣＤに入射される。ＣＣＤから出力される画素信号が数画素単位で加減算されることにより、各画素毎に所望の色成分信号、例えば、赤（Ｒ）、Ｇ、青（Ｂ）の色成分信号が得られる。ここで、カラーフィルタの各色成分フィルタ要素の透過特性はこのような加減算の結果、Ｒ、Ｇ、Ｂの色成分信号が得られるように決められている。
　しかしながら、色成分フィルタ要素をこのような理想的な透過特性を持つように製造することは困難であるとともに、同じ色成分フィルタ要素でも画素毎に特性がばらつくことが避けられず、従来のカラーカメラでは、得られた色成分信号が所望の色からずれており、結果として色再現性が悪かった。
（発明が解決しようとする課題）
　本発明は上述した事情に対処すべくなされたもので、その目的は色再現性のよいカラー撮像装置を提供することである。
　本発明の他の目的は、各画素毎の色再現性のばらつきのないカラー撮像装置を提供することである。
［発明の構成］
（課題を解決するための手段）
　本発明による所定の光透過特性を有するカラーフィルタを介して被写体を撮像し、複数の色成分を示すアナログ画像信号を出力する撮像手段と、前記アナログ画像信号をディジタル画像信号に変換する変換手段と、カラーフィルタの光透過特性し、複数の色成分を示すアナログ画像信号を出力する撮像手段と、前記アナログ画像信号をディジタル画像信号に変換する変換手段と、カラーフィルタの光透過特性に応じた係数を
画素毎に
（作用）
　本発明によるカラー撮像装置は、撮像手段の出力をＡ／Ｄ変換器を介してディジタル信号とし、このディジタル信号を予め求めておいたカラーフィルタの特性に応じた関数を用いて演算することにより複数の色成分信号に分解することにより、カラーフィルタの特性を補償した状態で各画素毎に複数の色成分信号を正確に求めることができ、色再現性が向上するとともに、関数を各画素毎に定義しておくことにより、画素毎のばらつきをなくすことができる。
（実施例）
　以下図面を参照してこの発明によるカラー撮像装置の実施例を説明する。第１図は一実施例の構成を示すブロック図である。撮像素子としてのＣＣＤ１０の撮像面の前面にカラーフィルタ１２が設けられる。ＣＣＤ１０は２次元配列された複数の撮像素子を有し、カラーフィルタ１２はＣＣＤの撮像素子毎に設けられた複数のフィルタ要素からなり、各撮像素子毎に所定の色成分のフィルタ要素がモザイク状に配列されてなる。カラーフィルタ１２のフィルタ要素の配列を第２図に示す。第２図に示した配列が基本パターンであり、これが上下、左右に周期的に繰り返される。これにより、被写体の光学像がカラーフィルタ１２を介してＣＣＤ１０に入射されると、ＣＣＤ１０からは所定の色成分の画素信号が順次出力される。なお、この実施例では、周波数インターリーブ方式が採用されていて、ＣＣＤ１０の撮像面上で垂直方向に連続する２つの撮像素子（第２図に示す）の出力が１画素として同時に読み出されるので、ＣＣＤ１０の出力信号は各画素毎に第３図に示すような色成分信号の組合せとなる。すなわち、２×２の画素マトリクスサイズでＧ＋Ｃ，Ｙ＋Ｇ，Ｙ＋Ｃ，２Ｇの色信号が周期的に現われる。
　ＣＣＤ１０の出力がＡ／Ｄ変換器１４を介してディジタル信号とされた後、色分離回路１６に入力される。色分離回路１６は２×２の画素マトリクス毎に入力信号に対して係数ＲＯＭ１８内の変換係数を乗算することにより、入力信号を３つのディジタル色成分信号Ｒ、Ｇ、Ｂに分離する。実際には、各画素の信号で４成分を補間により算出し、その後、演算を行なう。係数ＲＯＭ１８はカラーフィルタ１２の光透過特性から逆算して予め求めた２×２の画素マトリクス内のＣＣＤ１０の出力色成分からＲ、Ｇ、Ｂの色成分への変換係数行列を記憶している。以上の各回路の動作を連動させるために、タイミングコントローラ２０がＣＣＤ１０、Ａ／Ｄ変換器１４、色分離回路１６、係数ＲＯＭ１８に接続される。
　次に、この実施例の動作を説明する。先ず、係数ＲＯＭ１８に格納すべき係数行列を求める。ここで、ＣＣＤ１０の出力信号をＣ′、係数ＲＯＭ１８の出力をＦとすると、色分離回路１６の出力色成分信号ＣはＦ・Ｃ′として表わされる。ここで、ＣＣＤ１Ｏの出力信号は２×２の画素マトリクス毎に演算され、次式に示すように、Ａ／Ｄ変換器１４の出力そのままの１次成分以外にも、それらの積の２次成分、または所定のオフセット値である０次成分も含まれる。そのため、色分離回路１６の出力信号Ｒ、Ｇ、Ｂは次のように、表わされる。
　ここで、オフセット成分は１に含まれる。なお、オフセット成分、２次成分は必ずしも必要ではない。ここで、係数ＲＯＭ１８内の係数Ｆは次のような３行８列の行列である。
　２×２の４画素でマトリクス内の左上の１画素のＲ，Ｇ，Ｂを求め、次に、１画素ずらした時の４画素のマトリクスで次の１画素（左上）のＲ，Ｇ，Ｂを求める。また、縦方向は奇数フィールドと偶数フィールドで補完できる。または、縦方向に画素ずらした時の４画素で下方のＲ，Ｇ，Ｂが得られる。
　この係数行列Ｆの各行成分はＣＣＤ１０にＲ、Ｇ、Ｂそれぞれ色成分光のみを入射させた時に色分離回路１６の出力信号がそれぞれＲ、Ｇ、Ｂと一致するように決める。そのため、カラーフィルタの透過特性に応じて係数を決めることができ、これとＣＣＤ出力信号とを乗算することにより、たとえカラーフィルタの透過特性が所望の特性ではなくてもを、それを補償した状態で色分離したことになり、正確なＲ、Ｇ、Ｂ信号を得ることができ、色の再現性が向上する。なお、この係数は予めカラーフィルタを介して被写体を撮像した信号に基づいて求めておいて、ＲＯＭに格納しておくので、回路が簡単になるとともに、動作時の調整が不要であり、操作者の負担が軽減される。係数行列は各画素毎に定義されるので、画素毎の色再現性のばらつきをなくすことができる。さらに、ディジタル化されているので、装置の信頼性が向上する。また、Ｒ、Ｇ、Ｂ信号の再計算も可能である。
　なお、この発明は上述した実施例に限定されず種々変形して実施可能である。例えば、固体撮像素子はＣＣＤに限定されないし、さらには、固体撮像素子に限らず、撮像管を用いたカメラにも適用可能である。また、カラーフィルタの構成は任意に変形可能である。実施例では、カラーフィルタの色成分と最終的に色分離可能から出力する色成分とは異なっているので、係数ＲＯＭの内容は、カラーフィルタの特性を補償するとともに、色成分を変換する機能を有するが、カラーフィルタの色成分と最終的に求める色成分とが等しくてもい。この場合の係数は単に色フィルタの特性を補償する機能を有するように決められる。さらに、係数を各画素毎に決めておくことにより、各画素毎のカラーフィルタの特性のばらつきも補償することができる。
［発明の効果］
　以上説明したように本発明によれば、カラーフィルタの透過特性に応じて係数を決めることができ、係数とディジタル画像信号とを演算することにより、たとえカラーフィルタの透過特性が所望の特性でなくとも、カラーフィルタの特性を補償した状態の色分離したことになり、正確なＲ、Ｇ、Ｂ信号を得ることができ、色再現性のよいカラー撮像装置を提供することできる。
【図面の簡単な説明】
第１図はこの発明によるカラー撮像装置の一実施例のブロック図、第２図はカラーフィルタの色要素の配列を示す図、第３図はＣＣＤから出力される信号の各画素毎の色成分を示す図である。
１０……ＣＣＤ、１２……カラーフィルタ、１４……Ａ／Ｄ変換器、１６……色分離回路、１８……係数ＲＯＭ、２０……タイミングコントローラ。